(57)【特許請求の範囲】
【請求項１】
血球を含む血液試料中の特定成分の濃度を、上記特定成分の濃度に相関させた変数に基づいて演算する演算ステップを含み、上記演算ステップにおいては、上記血液試料から血球成分を除去した状態での血漿での濃度（Ｓ）と、上記血液試料を用いて微分法により求めた濃度（ＤＩ）と、上記血液試料を用いて平衡点法により求めた濃度（ＥＰ）と、を、血液試料に含まれる血球成分の割合を変数として含まない関係式で表現し、その関係式を用いて特定成分の濃度を演算する、血液試料における特定成分の濃度測定方法であって、
上記特定成分はグルコースであり、
上記関係式は、
血漿での濃度（Ｓ）を、血漿での濃度（Ｓ）と微分法での濃度（ＤＩ）との間の差分値（Ｓ−ＤＩ）と、血漿での濃度（Ｓ）と平衡点法での濃度（ＥＰ）との間の差分値（Ｓ−ＥＰ）と、の比（（Ｓ−ＤＩ）／（Ｓ−ＥＰ））に関連付けた下記数式１を血漿での濃度（Ｓ）について解いたものであり、下記数式２によって表現されるものであることを特徴とする、血液試料における特定成分の濃度測定方法。
【数１】
0004660652.tif 000009
【数２】
0004660652.tif 000010
【請求項２】
上記演算ステップは、
上記特定成分と電子授受を行う検知媒体から、電子授受量に相関した出力値を得る一方で、この出力値の経時的変化が一定値に漸近するときの平衡値に基づいて、平衡点法により特定成分の濃度(ＥＰ)を演算する第１演算ステップと、
上記出力値が上記平衡値に達するまでの間において、上記出力値の経時的変化を示す曲線のｎ回微分値（ｎは正の整数）における極大値に基づいて、微分法により上記特定成分の濃度(ＤＩ)を演算する第２演算ステップと、
を含んでいる、請求項１に記載の濃度測定方法。
【請求項３】
上記第２演算ステップにおけるｎ回微分値として、微分回数が１回または２回のものを使用する、請求項２に記載の濃度測定方法。
【請求項４】
上記検知媒体からの出力値は、上記検知媒体に対して刺激を与えたときに応答として取得する、請求項２に記載の濃度測定方法。
【請求項５】
上記刺激を電位差として与える一方で、上記応答を電流値として得る、請求項４に記載の濃度測定方法。
【請求項６】
上記血液試料は、全血を希釈したものである、請求項１に記載の濃度測定方法。
【請求項７】
血球を含む血液試料中の特定成分の濃度を測定するための装置であって、
上記特定成分の濃度を反映した応答値を測定するための測定手段と、上記応答値に基づいて上記特定成分の濃度を演算するための演算手段と、を備えた濃度測定装置において、
上記演算手段は、上記血液試料から血球成分を除去した状態での血漿での濃度（Ｓ）と、上記血液試料を用いて微分法により求めた濃度（ＤＩ）と、上記血液試料を用いて平衡点法により求めた濃度（ＥＰ）と、の関係式であって、上記血液試料に含まれる血球成分の割合を変数として含まない関係式を用いて特定成分の濃度を演算するように構成されており、
上記特定成分はグルコースであり、
上記関係式は、
血漿での濃度（Ｓ）を、血漿での濃度（Ｓ）と微分法での第1濃度（ＤＩ）との間の差分値（Ｓ−ＤＩ）と、血漿での濃度（Ｓ）と平衡点法での第２濃度（ＥＰ）との間の差分値（Ｓ−ＥＰ）と、の比（（Ｓ−ＤＩ）／（Ｓ−ＥＰ））に関連付けた下記数式１を血漿での濃度（Ｓ）について解いたものであり、下記数式２によって表現されるものであることを特徴とする、濃度測定装置。
【数１】
0004660652.tif 000011
【数２】
0004660652.tif 000012
【請求項８】
上記演算手段は、上記応答値が一定値に漸近するときの平衡値に基づいて第２濃度（ＥＰ)を演算するとともに、上記応答値の経時的変化の曲線をｎ回微分（ｎは正の整数）したときの極大値に基づいて第１濃度（ＤＩ)を演算する、請求項７に記載の濃度測定装置。
【請求項９】
上記測定手段は、上記応答値を上記特定成分と検知媒体との間の電子授受量として測定するように構成されている、請求項７に記載の濃度測定装置。
【請求項１０】
上記測定手段は、上記応答値を、上記検知媒体に対して刺激を与えたときに測定するように構成されている、請求項９に記載の濃度測定装置。
【請求項１１】
上記測定手段は、上記刺激を電位差として与える一方で、上記応答を電流値として測定するように構成されている、請求項１０に記載の濃度測定装置。
【請求項１２】
上記測定手段は、上記特定成分との間で電子授受を行う上記検知媒体としてのセンサ部と、電流値を測定するための電流値測定部と、を有している、請求項１１に記載の濃度測定装置。
【請求項１３】
上記センサ部は、酸化還元酵素が固定化されたものである、請求項１２に記載の濃度測定装置。
【請求項１４】
全血を希釈して血液試料を調製するための調製槽をさらに備えており、
上記センサ部は、少なくとも一部が上記調製槽の内部を臨むように配置される、請求項１２に記載の濃度測定装置。
【発明の詳細な説明】
【技術分野】
【０００１】
本発明は、血球を含む血液試料中の特定成分（たとえばグルコース）の濃度を測定する技術に関する。
【背景技術】
【０００２】
血液試料中の特定成分、たとえばグルコースの濃度を測定する方法としては、電極法と呼ばれる方法がある。この方法は、血液試料中のグルコース濃度に相関した情報を、血液試料に接触させた電極に出力させ、この出力に基づいてグルコース濃度を演算する方法である。電極法は、平衡点法（エンドポイント法）および微分法（レート法）に大別することができる。平衡点法は、電極からの出力の経時的変化が一定値に漸近するときの平衡値に基づいて、グルコース濃度を演算する方法である。一方、微分法は、出力をｎ回微分（ｎは正の整数）したときの極値に基づいて、グルコース濃度を演算する方法である。
【０００３】
一般的な電極法においては、血液試料として血球を含んだ全血を用いる場合には、血球の影響を受けて測定値が低値化することが知られている。そのため、血液中のグルコース濃度を測定する場合には、全血を遠心分離して血球を除去した血漿（または血清）が血液試料として用いられている。この方法では、血液試料を調製するために遠心分離が必要となって操作が煩雑化するとともに、試料の調製も含めた測定操作の全体に要する時間が長くなるといった問題がある。このような問題を解決しようとするものとして、平衡点法における演算結果と微分法における演算結果とを関連付ける方法が考えられている（たとえば特許文献１−３参照）。
【０００４】
特許文献１に開示された方法は、全血を希釈したものを血液試料として使用する場合において、血球の存在により見かけの希釈率が真の希釈率と異なっていることに着眼したものである。この方法では、微分法においてグルコース濃度を演算する場合には、極大値に対応する出力を得るまでの間に、血球内から血球外に拡散されるグルコースの量は無視できるほど小さいとの前提に立っている。これに対して、特許文献２および特許文献３に開示された方法は、微分法においてグルコース濃度を演算する場合に、極大値に対応する出力を得るまでの間に、血球外に拡散されるグルコースの総量を考慮したものである。血球外に拡散されたグルコースの総量は、ヘマトクリット（赤血球の割合）に関連付けられている。
【０００５】
上述したいずれの方法においても、測定精度を低下させる原因をヘマトクリットに求め、その影響を極力排除した演算方法を確立しようとている。その結果、従来の方法においては、血液中のグルコース濃度が比較的に低い場合（たとえば４００ｍｇ／ｄＬ以下）には、血漿（または血清）を用いてグルコース濃度を測定した場合との相関性が改善されている。その反面、血液中のグルコース濃度が比較的に高い場合（たとえば５００ｍｇ／ｄＬ以上）には、血漿（または血清）を用いてグルコース濃度を測定した場合との相関性が低く、依然として測定値が低値化する傾向にある。そのため、上述した方法では、高濃度域における測定精度、ひいては測定レンジに関して改善の余地があった。
【０００６】
【特許文献１】特公平７−３７９９１号公報
【特許文献２】特開平９−３３５３３号公報
【特許文献３】特開平９−３１８６３４号公報
【発明の開示】
【０００７】
本発明は、遠心分離などの煩雑な操作を行うことなく、血球を含んだ血液試料中の特定成分（たとえばグルコース）の濃度を、高濃度域（たとえばグルコースの場合で５００ｍｇ／ｄＬ程度）において精度良く測定できるようにし、測定レンジを広く確保できるようにすることを目的としている。
【０００８】
本発明者らは、上述した課題を解決すべく鋭意検討した結果、血球を含んだ血液試料（たとえば全血）における特定成分の濃度は、微分法により求めた濃度と平衡点法により求めた濃度とに関連付けて、血液試料における血球成分の割合とは無関係な式として表現できることを見出し、本発明をするに至った。
【０００９】
すなわち、本発明では、血球を含む血液試料中の特定成分の濃度を、上記特定成分の濃度に相関させた変数に基づいて演算する演算ステップを含み、上記演算ステップにおいては、上記血液試料から血球成分を除去した状態での血漿での濃度（Ｓ）と、上記血液試料を用いて微分法により求めた濃度（ＤＩ）と、上記血液試料を用いて平衡点法により求めた濃度（ＥＰ）と、を、血液試料に含まれる血球成分の割合を変数として含まない関係式で表現し、その関係式を用いて特定成分の濃度を演算する、血液試料における特定成分の濃度測定方法であって、上記特定成分はグルコースであり、上記関係式は、血漿での濃度（Ｓ）を、血漿での濃度（Ｓ）と微分法での濃度（ＤＩ）との間の差分値（Ｓ−ＤＩ）と、血漿での濃度（Ｓ）と平衡点法での濃度（ＥＰ）との間の差分値（Ｓ−ＥＰ）と、の比（（Ｓ−ＤＩ）／（Ｓ−ＥＰ））に関連付けた下記数式１を血漿での濃度（Ｓ）について解いたものであり、下記数式２によって表現されるものであることを特徴とする、血液試料における特定成分の濃度測定方法が提供される。
【００１１】
【数１】
0004660652.tif 000002
【００１２】
【数２】
0004660652.tif 000003
【００１３】
演算ステップは、たとえば上記特定成分と電子授受を行う検知媒体から、電子授受量に相関した出力値を得る一方で、この出力値の経時的変化が一定値に漸近するときの平衡値に基づいて、平衡点法により特定成分の濃度(ＥＰ)を演算する第１演算ステップと、上記出力値が上記平衡値に達するまでの間において、上記出力値の経時的変化を示す曲線のｎ回微分値（ｎは正の整数（好ましくはｎは１または２））における極大値に基づいて、微分法により上記特定成分の濃度(ＤＩ)を演算する第２演算ステップと、を含んでいる。
【００１４】
検知媒体には、たとえば電極法においては電極自体または電極を含むバイオセンサが該当し、比色法においては色素などの発色剤が該当する。ここで、電極法においては、たとえば検知媒体からの出力は、検知媒体に対して刺激（たとえば電気的物理量（電圧など））を与えたときの応答（たとえば電気的物理量（電流値など））として取得することができる。一方、比色法においては、検知媒体（発色剤）に対して光を照射したときの反射光または透過光の光量として検知媒体（発色剤）からの出力を得ることができる。
【００１６】
本発明の第２の側面においては、血球を含む血液試料中の特定成分の濃度を測定するための装置であって、上記特定成分の濃度を反映した応答値を測定するための測定手段と、上記応答値に基づいて上記特定成分の濃度を演算するための演算手段と、を備えた濃度測定装置において、上記演算手段は、上記血液試料から血球成分を除去した状態での血漿での濃度（Ｓ）と、上記血液試料を用いて微分法により求めた濃度（ＤＩ）と、上記血液試料を用いて平衡点法により求めた濃度（ＥＰ）と、の関係式であって、上記血液試料に含まれる血球成分の割合を変数として含まない関係式を用いて特定成分の濃度を演算するように構成されており、上記特定成分はグルコースであり、上記関係式は、血漿での濃度（Ｓ）を、血漿での濃度（Ｓ）と微分法での第1濃度（ＤＩ）との間の差分値（Ｓ−ＤＩ）と、血漿での濃度（Ｓ）と平衡点法での第２濃度（ＥＰ）との間の差分値（Ｓ−ＥＰ）と、の比（（Ｓ−ＤＩ）／（Ｓ−ＥＰ））に関連付けた下記数式１を血漿での濃度（Ｓ）について解いたものであり、下記数式２によって表現されるものであることを特徴とする、濃度測定装置が提供される。
【００１７】
【数１】
0004660652.tif 000004
【００１８】
【数２】
0004660652.tif 000005
【００１９】
より具体的には、上記演算手段は、たとえば上記応答値が一定値に漸近するときの平衡値に基づいて第１濃度（ＥＰ)を演算するとともに、上記応答値の経時的変化の曲線をｎ
回微分（ｎは正の整数）したときの極大値に基づいて第２濃度（ＤＩ)を演算し、かつ下
記数式１を血漿での濃度（Ｓ）について解いた下記数式２にしたがって最終的な濃度(Ｓ)を演算するように構成される。
【００２１】
測定手段は、たとえば特定成分と検知媒体との間の電子授受量として測定するように構成される。測定手段は、検知媒体に対して刺激（たとえば電位差）を与えたときの応答（電流値）を測定するように構成される。より具体的には、測定手段は、たとえば検知媒体としてのセンサ部と、応答を電流値として測定するための電流値測定部と、を有するものとされる。
【００２２】
本発明の濃度測定装置は、たとえば全血を希釈して血液試料を調製するための調製槽をさらに備えたものとして構成される。その一方で、センサ部を酸化還元酵素が固定化されたものとして構成する場合には、センサ部は、少なくとも一部が調製槽の内部に臨むように配置される。
【００２３】
なお、本発明においては、特段の制限がない限りは、血液試料という場合には、少なくとも全血、全血の希釈液、全血を遠心分離したときの上澄み、この上澄みの希釈液を含んでいる。
【発明を実施するための最良の形態】
【００２４】
図１に示したグルコース濃度測定装置１は、全血を用いてグルコース濃度を測定するものであり、測定ユニット２において血球を含む血液試料（全血の希釈液）中のグルコース濃度に応じた情報を得るように構成されている。測定ユニット２は、反応槽２０、センサ部２１、電源２２および電流値測定部２３を有している。
【００２５】
反応槽２０は、全血と緩衝液を混合して血液試料を調製する場を提供するとともに、センサ部２１に対して血液試料に含まれるグルコースを接触させる場を提供するためのものである。グルコース濃度測定装置１においては、反応槽２０に対して全血および緩衝液が自動的に供給され、反応槽２０からは測定終了後の血液試料（廃液）が排出されるように構成されている。反応槽２０に対しては、先に緩衝液が供給され、その後に全血が供給される。反応槽２０に対する全血の供給は、サンプラー（図示略）のノズル３０を介して行われる。全血の供給量は、たとえば４〜２０μＬに設定される。反応槽２０に対する緩衝液の供給はポンプ３１の動力を利用して行われ、反応槽２０からの廃液の排出はポンプ３２の動力を利用して行われる。反応槽２０に対して緩衝液を供給し得る状態と供給し得ない状態とはバルブ３３の開閉によって選択され、反応槽２０から廃液を排出し得る状態と排出し得ない状態とはバルブ３４の開閉によって選択される。
【００２６】
反応槽２０には、攪拌子３５が収容されている。この攪拌子３５は、反応槽２０に緩衝液と全血とを供給したときに、それらを攪拌・混合するためのものであり、スターラ３６によって回転させられるものである。
【００２７】
センサ部２１は、血液試料におけるグルコースとの電子授受量に応じた電気的物理量を出力するものであり、繰り返し使用可能なように構成されている。このセンサ部２１は、図面上には表れていないが、電極を有している。この電極は、反応槽２０の内部に臨むものであり、たとえば酵素固定化層および電極を有している。酵素固定化層は、たとえばグルコースオキシダーゼ（ＧＯＤ）またはグルコースデヒドロゲナーゼ（ＧＤＨ）を含んだものとして構成される。一方、電極の構成は、酵素固定化層に含まれる酵素の種類に応じて選択される。たとえば、酵素としてＧＯＤを用いる場合には、電極として過酸化水素電極が使用される。
【００２８】
電源２２は、センサ部２１の電極に対して電圧を印加するためのものである。電源２２としては、たとえば直流電源が使用され、電極に対する印加電圧は、たとえば１００〜５００ｍＶに設定される。
【００２９】
電流値測定部２３は、センサ部２１の電極とグルコースとの間の電子授受量を電流値として測定するためのものである。ここで、酵素としてＧＯＤが使用され、電極として過酸化水素電極が使用される場合を考えると、センサ部２１の酵素固定化層においては、ＧＯＤの作用によってグルコースがグルコン酸と過酸化水素に分解される。過酸化水素は、センサ部２１の電極に対する電圧の印加によって還元され、陽極に電子を供与して酸素と水素イオンに分解される。このとき、陽極に供与された電子量は、電流値測定部２３において電流値として測定される。電流値測定部２３では、反応槽２０に全血が供給された時点を０とすれば、図３に例示したようなタイムコースとして電流が測定される。
【００３０】
図２に示したように、グルコース濃度測定装置１は、制御部４および演算部５をさらに備えている。
【００３１】
制御部４は、各部の動作を制御するためのものである。より具体的には、制御部４は、ノズル３０の移動および全血の吸引・吐出動作、ポンプ３１，３２の動作、バルブ３３，３４の開閉動作、スターラ３６（攪拌子３５（図１参照）の回転あるいは非回転）を制御する。この制御部４はさらに、測定ユニット２の動作をも制御する。より具体的には、制御部４は、図１に示した電源２２を制御してセンサ部２１の電極に電圧が印加される状態と印加されない状態とを選択し、電流値測定部２３を制御して、電流値を測定するタイミングを制御する。電流値測定部２３は、たとえば５０〜２００μｓｅｃの間隔で繰り返し電流値を測定するように制御部４によって測定動作が制御される。
【００３２】
一方、図２に示した演算部５は、電流値測定部２３（図１参照）における測定結果に基づいて、全血中のグルコース濃度を演算するためのものである。この演算部５は、演算に必要なプログラムを記憶したものであり、その動作は制御部４によって制御される。本実施の形態においては、演算部５は、下記数式２として示した演算式に基づいて全血中のグルコース濃度（Ｓ）の演算を行うように構成されている。
【００３３】
【数２】
0004660652.tif 000006
【００３４】
数式２において、ａおよびｂは定数、ＥＰは平衡点法において演算したグルコース濃度、ＤＩは微分法において演算したグルコース濃度である。
【００３５】
数式２は、血球を含んだ血液試料（たとえば全血）におけるグルコースの濃度を、微分法により求めた濃度（ＤＩ）と、平衡点法により求めた濃度（ＥＰ）に関連付けて、血液試料における血球の割合（Ｈｃｔ（％））とは無関係な式として表現したものである。ここで、平衡点法および微分法について簡単に説明し、併せて数式２を算出する根拠について説明しておく。
【００３６】
図１に示した電流値測定部２３においては、図３に示したようなタイムコースの電流が観測されるのは上述した通りである。より具体的には、電流値（Ｉ）は、図１に示した反応槽２０において全血を供給した時点から上昇し、一定時間の経過後に平衡値（ＩEP）に漸近する。平衡値（ＩEP）の大きさは、検体中のグルコース濃度に相関している。したがって、平衡値（ＩEP）とグルコース濃度との関係を示す検量線を予め調べておくことで、平衡値（ＩEP）に基づいてグルコース濃度を演算（ＥＰ）することができる。これが平衡点法である。一方、微分法は、電流値のタイムコースをｎ回微分したときの極大値に基づいてグルコース濃度を演算する方法である。たとえば、図３に電流値の一次微分値（ｄＩ／ｄｔ）のタイムコースを示したが、このタイムコースの極大値（ＩDI）は、電流値（Ｉ）の変化速度の最大値、すなわち反応初速度の最大値に対応している。この最大値はグルコース濃度に相関しているため、一次微分法では一次微分値（ｄＩ／ｄｔ）の極大値（ＩDI）に基づいてグルコース濃度（ＤＩ）を演算することができる。
【００３７】
ここで、図４として、血漿状態（ヘマトクリット（Ｈｃｔ）＝０（％））でのグルコース濃度（ＣGL）が同一で、Ｈｃｔ（％）が異なる複数の血液サンプルについて、平衡点法により求めたグルコース濃度（ＣEP）および微分法により求めたグルコース濃度（ＣDI）を、ヘマトクリット（Ｈｃｔ（％））との関係としてその一例を示した（特許文献１，２参照）。図４においては、血漿状態（Ｈｃｔ＝０（％））でのグルコース濃度（ＣGL）を同時に示してある。
【００３８】
図４から分かるように、微分法により求めたグルコース濃度（ＣDI）および平衡点法により求めたグルコース濃度（ＣEP）は、Ｈｃｔ（％）の値が大きくなるにしたがって比例的に小さくなり、血漿でのグルコース濃度（ＣGL）（Ｈｃｔ＝０（％））からのずれ（（ＣGL−ＣDI）、（ＣGL−ＣEP））が比例的に大きくなる。そのため、血漿でのグルコース濃度（ＣGL）からの微分法により求めたグルコース濃度（ＣDI）のずれ量（ＣGL−ＣDI）と、血漿でのグルコース濃度（ＣGL）からの平衡点法により求めたグルコース濃度（ＣEP）のずれ量（ＣGL−ＣEP）と、の比（（ＣGL−ＣDI）／（ＣGL−ＣEP））は、一定となり、血漿でのグルコース濃度（ＣGL）が同一である場合にはＨｃｔ（％）とは無関係となる。
【００３９】
図４に示した例は、同一のグルコース濃度（ＣGL（＝定数））を有する血液サンプルについてグルコース濃度を測定した結果であるが、上述のずれ量の比（（ＣGL−ＣDI）／（ＣGL−ＣEP））の関係は、血液サンプル中の（血漿での）グルコース濃度（ＣGL）が同一である限りは、そのグルコース濃度（ＣGL）において、グルコース濃度の大小を問わず成立するものである。
【００４０】
その一方で、本発明者らは、血漿でのグルコース濃度を変化させた場合において、そのときのずれ量の比が、血漿でのグルコース濃度と、どのような関係があるかを検討した。より具体的には、グルコース濃度が異なる複数の全血について、（一次）微分法および平衡点法によりグルコース濃度（ＤＩ，ＥＰ）の測定する一方で、上記複数の全血について、遠心分離により得られる血漿のグルコース濃度（Ｓ）を測定した。そして、各々のグルコース濃度の測定から上述のずれ量の比（（Ｓ−ＤＩ）／（Ｓ−ＥＰ））を演算した。その結果については、図５に示した。
【００４１】
なお、微分法によるグルコース濃度（ＤＩ）、平衡点法によるグルコース濃度（ＥＰ）、および血漿でのグルコース濃度（Ｓ）の演算に必要な電流値については、全自動グルコース濃度測定装置「ＧＡ−１１６０」（アークレイ株式会社製）において得られる電流値に基づいて把握した。
【００４２】
図５から分かるように、上述のずれ量の比（（Ｓ−ＤＩ）／（Ｓ−ＥＰ））は、測定した範囲において、１以上の値で推移し、かつ血漿でのグルコース濃度（Ｓ）が大きくなるにしたがって略比例的に小さくなっている。このことは同時に、血漿でのグルコース濃度（Ｓ）が大きくなるにしたがって、微分法によるグルコース濃度（ＤＩ）のほうが、平衡点法によるグルコース濃度（ＥＰ）に比べて、血漿でのグルコース濃度（Ｓ）からのずれ量が小さく、かつ、その変化割合が大きくなることを意味している。これと同時に、ずれ量の比（（Ｓ−ＤＩ）／（Ｓ−ＥＰ））は、下記数式１として示したように、血漿でのグルコース濃度（Ｓ）の１次関数として近似できることを意味している。
【００４３】
【数１】
0004660652.tif 000007
【００４４】
ここで、図５のプロット点を最小２乗法により直線近似した場合には、ａ＝−０．０００３７、ｂ＝１．８３１３０となる。
【００４５】
そして、上記数式１を血漿でのグルコース濃度（Ｓ）について解くと、上記数式２を得ることができる。
【００４６】
本発明では、血漿でのグルコース濃度（Ｓ）を、微分法により求めた濃度と平衡点法により求めた濃度とに関連付けることにより、演算部５において採用される演算式（上記数式２）がヘマトクリットとは無関係な式として表現されている。そのため、本発明では、ヘマトクリット（Ｈｃｔ（％））の大きさに関係なく、比較的に高濃度（５００〜１００００ｍｇ／ｄＬ）な血液試料であっても、精度良く濃度測定を行うことができ、ひいては測定レンジを大きく確保することが可能となる。この点については、後述する実施例においても明らかとなる。
【００４７】
［実施例］
以下においては、数式２により演算したグルコース濃度が、比較的高濃度域（５００〜１２０００ｍｇ／ｄＬ）においても、血漿中のグルコース濃度に良好に相関し、数式２を利用した演算手法によれば測定レンジを大きく確保できることを実証する。
【００４８】
本実施例においては、グルコース濃度が異なる複数の全血について、数式２(本案演算式)、下記数式３(従来演算式)、および平衡点法にしたがってグルコース濃度を測定した。ただし、上記数式２においては、ａおよびｂについては、図５に示した測定結果から得られる値（ａ＝−０．０００３７、ｂ＝１．８３１３０９）を用い、下記数式３においては、Ｋ1＝０．６８、Ｋ2＝５．０７とした。
【００４９】
【数３】
0004660652.tif 000008
【００５０】
一方、リファレンスとして、上記複数の全血について、遠心分離により得られた複数の血漿についてグルコース濃度を測定した。また、血漿のグルコース濃度については、全自動グルコース濃度測定装置「GA-1160」（アークレイ株式会社製）を用いて測定した。上記数式２(本案演算式)、上記数式３(従来演算式)、および平衡点法による演算に必要な測定電流値の平衡値（ＩEP）、測定電流値を１回微分したときの極大値（ＩDI）については、上記複数の全血に関して「GA-1160」を用いて測定される電流値に基づいて把握した。
【００５１】
各々の測定手法における測定結果については、図６に示した。この図から分かるように、平衡点法により演算したグルコース濃度は、血漿グルコース濃度から大きく乖離している。数式３(従来演算式)に基づいて演算したグルコース濃度は、平衡点法に比べて、血漿グルコース濃度との相関性が良いものの、高濃度域(４００ｍｇ／ｄＬ以上)において血漿グルコース濃度から乖離し、その乖離の程度はグルコース濃度が大きくなるほど大きくなっている。
【００５２】
これに対して、数式２(本案演算式)に基づいて演算したグルコース濃度は、高濃度域（５００〜１２０００ｍｇ／ｄＬ）も含めて血漿グルコース濃度との相関性が高い。したがって、数式２(本案演算式)に基づいてグルコース濃度を演算すれば、高濃度域での測定精度が向上し、測定レンジを大きく確保できることが分かる。
【００５３】
本発明は、上述した実施の形態には限定されず、種々に変更可能である。たとえば、本実施の形態では、上述のずれ量の比（Ｓ−ＤＩ）／（Ｓ−ＥＰ）を、血漿でのグルコース濃度（Ｓ）に１次関数として相関させていたが、それ以外の関数として相関させてもよい。
【００５４】
また、先に説明したグルコース濃度測定装置１においては、測定ユニット２のセンサ部２１が電極法を利用して繰り替し使用可能なように構成されているが、血液試料中のグルコース濃度に相関させた出力を得るための構成は、先に説明した測定ユニット２の構成には限定されない。たとえば、本発明は使い捨てのグルコースセンサを使用してグルコース濃度を測定する場合、あるいは比色によりグルコース濃度を測定する場合にも適用することができる。
【図面の簡単な説明】
【００５５】
【図１】本発明に係るグルコース濃度測定装置を、一部を断面として示した概略構成図である。
【図２】図１に示したグルコース濃度測定装置のブロック図である。
【図３】図１および図２に示した測定ユニットにおいて測定される電流値の経時的変化および電流値の一次微分値の経時的変化の一例を示すグラフである。
【図４】血漿グルコース濃度（ＣGL）、平衡点法により演算したグルコース濃度（ＣEP）および(一次)微分法により演算したグルコース濃度（ＣDI）と、ヘマトクリット（Ｈｃｔ）との関係を示すグラフである。
【図５】血漿でのグルコース濃度と、血漿でのグルコース濃度からの一次微分法および平衡点法でのグルコース濃度のずれ量の比と、の関係を調べた結果を示すグラフである。
【図６】血漿グルコース濃度に対する、各種演算式によって演算したグルコース濃度との相関性を示すグラフである。
【図１】
0004660652.tif 000013
【図２】
0004660652.tif 000014
【図３】
0004660652.tif 000015
【図４】
0004660652.tif 000016
【図５】
0004660652.tif 000017
【図６】
0004660652.tif 000018